(57)【要約】【課題】  本発明は、侵入時の外部圧力によって異常を検知して警報を発することを可能とするビニールハウスにおける不審者の侵入警報システムを提供することを目的とするものである。【解決手段】  本発明は、ビニールハウス１の周囲に沿って電気コード２が周設されシステム本体３に接続される。そして電気コード２の所定間隔ごとに外圧検知遮断手段として外圧検知遮断スイッチ４が接続され、開閉扉５には開閉扉検知遮断手段としてのドア検知遮断スイッチ６が接続される。更にシステム本体３には警報発生手段としての警報ベル７およびパトライト８が接続され、不審者がビニールハウス１内への侵入の際に電気コード２に衝撃を与えることで警報を発する構成とする。【選択図】        図１
2005202808.tif 000002
【特許請求の範囲】
【請求項１】
合成樹脂材・金属パイプなどで骨組みを作り、その上を透明なビニールシートで覆った野菜・花の促成栽培に用いるビニールハウスにおける不審者の侵入警報システムにあって、
ビニールハウス周囲に沿って電気コードを装着する配線手段と、
該電気コードの所定間隔ごとに配置され、電気コードの全方位方向への衝撃により通電を遮断する外圧検知遮断手段と、
前記電流の遮断を検知し、警報を発する警報発生手段を備える
ことを特徴とするビニールハウスにおける不審者の侵入警報システム。
【請求項２】
前記ビニールハウスの開閉扉に、該開閉扉の動作を検知して電気コードの通電を遮断する開閉扉検知遮断手段を備える
ことを特徴とする請求項１記載のビニールハウスにおける不審者の侵入警報システム。
【請求項３】
前記開閉扉に開閉扉検知遮断手段のＯＮ・ＯＦＦを行う防犯スイッチを備える
ことを特徴とする請求項２記載のビニールハウスにおける不審者の侵入警報システム。
【請求項４】
前記外圧検知遮断手段は、外圧から解除された場合には通電状態に復帰する
ことを特徴とする請求項１、２、または３記載のビニールハウスにおける不審者の侵入警報システム。
【請求項５】
前記通電の遮断が検知される検知信号を、無線電話回線を利用した送・受信手段により生産者に不審者の侵入を明示する
ことを特徴とする請求項１、２、３または４記載のビニールハウスにおける不審者の侵入警報システム。
【発明の詳細な説明】
【技術分野】
【０００１】
本発明は、ビニールハウスにおける不審者の侵入警報システムに関する。詳しくはビニールハウス内への不審者の侵入を検知して警報を発するビニールハウスにおける不審者の侵入警報システムに係るものである。
【背景技術】
【０００２】
近年ビニールハウス内の農作物や蘭などの高級な生花が盗難される事件が多発している。これらは施錠されていないビニールハウスのドアから侵入して農作物等を引き抜いて運び出すものであるためにドアに施錠をするケースが増えている。
【０００３】
しかしビニールハウスではドアを施錠してもハウス側面のビニールシートをナイフによって切り裂けば容易に侵入することができるのが現状である。
【０００４】
いっぽう、建物などへの不審者の侵入を検知するシステムとして図６に示すような発明がある。この発明は対向する直線上において遮蔽状態を検知する複数組の赤外線発光器１０１と受光器１０２が具備され、且つそれぞれによって形成される検知ライン１０３が互いに交差しないように設置され、前記各受光器１０２における少なくとも隣接する受光器における検知信号の論理積をとって報知出力を生成するように構成されている（例えば、特許文献１参照。）。
【０００５】
【特許文献１】特開２０００−１０５８９７号公報（要約書、第１図）
【発明の開示】
【発明が解決しようとする課題】
【０００６】
しかしながら現状のビニールハウスに前述した赤外線発光器と受光器による検知システムを取り入れた場合では、ビニールハウス内の各コーナーに赤外線発光器と受光器を配置してビニールハウス内の全周囲に赤外線を通し、ビニールハウスを切り裂いての不審者の侵入の際に赤外線を遮ることで異常を検知して警報を発するものであるが、ビニールハウス内の農作物の急激な茎や葉の成長などによって赤外線を遮り、誤報を発生するという問題がある。
【０００７】
また、ビニールハウスは地面上に建てられているために、赤外線発光器と受光器を配置する場合に設置面が安定していないことから水平状に調整した設置台を各コーナーに設置しなければならず、非常に煩雑な作業となり、しかも各農家では数棟のビニールハウスを有していることから、全てのビニールハウスに赤外線発光器と受光器を配置した場合では多大な設置費用がかかる問題がある。
【０００８】
本発明は、以上の点に鑑みて創案されたものであって、侵入時の外部圧力によって異常を検知して警報を発することを可能とするビニールハウスにおける不審者の侵入警報システムを提供することを目的とするものである。
【課題を解決するための手段】
【０００９】
上記の目的を達成するために、本発明に係るビニールハウスにおける不審者の侵入警報システムは、合成樹脂材・金属パイプなどで骨組みを作り、その上を透明なビニールシートで覆った野菜・花の促成栽培に用いるビニールハウスにおける不審者の侵入警報システムにあって、ビニールハウス周囲に沿って電気コードを装着する配線手段と、該電気コードの所定間隔ごとに配置され、電気コードの全方位方向への衝撃により通電を遮断する外圧検知遮断手段と、前記電流の遮断を検知し、警報を発する警報発生手段を備える。
【００１０】
ここで、電気コードをビニールハウス周囲のビニールシートに沿って装着することにより、侵入者はビニールシートを切り裂いて侵入するしかなく、その際に通電状態にある電気コードが切断された場合には電流の遮断が検知され、警報を発せられる。
また、不審者が電気コードを切断せずに侵入する際には、電気コードは必ず全方位方向への衝撃による移動を受けることになり、この電気コードの移動を外圧検知遮断手段により検知され電気コードの通電を遮断し、その電流の遮断が検知され、警報を発せられる。
【００１１】
また、ビニールハウスの出入口である開閉扉には、不審者が開閉扉を開いた際に電気コードの通電を遮断する開閉扉検知遮断手段を設けることにより警報を発せられる。この開閉扉検知遮断手段には、その開閉扉検知遮断手段のＯＮ・ＯＦＦを行う防犯スイッチを設けることにより、生産者はビニールハウス内への出入りが自由に行える構成とされるものである。
【００１２】
また、外圧検知遮断手段は衝撃による電気コードが移動した場合には、通電が遮断されて警報が発せられるが、電気コードへの圧力が解除された際には通電状態に復帰されることになり、警報のリセットを行うことで初期設定に戻れることが可能となる。
【００１３】
更に、不審者の侵入により警報を発すると共に、検出信号を無線電話回線により送信手段により生産者の携帯電話やパーソナルコンピューターに音声信号やメールによって異常を知らせる構成とする。
【発明の効果】
【００１４】
本発明ではビイールハウスに侵入者が現れた場合、入口からの侵入に対しては、開閉扉の開閉扉検知遮断手段が反応して警報を発すると共に、ビニールハウスの側面からの侵入に対しては外圧検知遮断手段が反応して侵入を検知して警報を発することにより不審者の侵入を完璧に検知することが可能となる。
【００１５】
また、これらの防犯システムを構成する各部品の単価が低く、全体として低コストでの設置が可能となる。更に侵入の際に電気コードが切断された場合でも、その修理を容易に行うことができ、修繕費も安価となる。
【００１６】
また、不審者の侵入を生産者の携帯電話やパーソナルコンピューターへメールによって転送することにより、生産者は警察への通報および現場に急行することが可能となる。
【発明を実施するための最良の形態】
【００１７】
以下、本発明の実施の形態を図面を参酌しながら説明し、本発明の理解に供する。
図１は、本発明を適用したビニールハウスにおける不審者の侵入警報システムの一例を説明するための概要説明図である。
【００１８】
ここで示す侵入警報システムは、ビニールハウス１の周囲に沿って電気コード２が周設されシステム本体３に接続される。そして電気コード２の所定間隔ごとに外圧検知遮断手段として外圧検知遮断スイッチ４が接続され、開閉扉５には開閉扉検知遮断手段としてのドア検知遮断スイッチ６が接続される。
【００１９】
次に、システム本体３には警報発生手段としての警報ベル７およびパトライト８が接続され、更に無線電話回線を利用した送信装置９が接続される。
また、ドア検知遮断スイッチ６には開閉扉検知遮断手段のＯＮ・ＯＦＦを行う防犯スイッチ１０が接続される。
【００２０】
そこで電気コード２、システム本体３、外圧検知遮断スイッチ４、ドア検知遮断スイッチ６、警報ベル７、パトライト８および送信装置９はビニールハウス１内に設置されるものである。
【００２１】
また、図２に示すように電気コード２は、ビニールシート１７とパイプによる枠体１１との間を通した状態でビニールシート１７に沿ってビニールハウス１内を周設される。
【００２２】
次に図３は、図１における侵入警報システムの一例を説明するための電気回路ブロック図である。
ビニールハウス１内に周設される電気コード２はシステム本体３に接続される。そして電気コード２の所要間隔ごとに設けられる外圧検知遮断スイッチ４および開閉扉に設けられるドア検知遮断スイッチ６によって電気コード２の通電が遮断される。
【００２３】
そこで外圧検知遮断スイッチ４は図４に示すように、電気コード２はＡ端子およびＢ端子に接続されて通電状態とされる。そしてＡ端子とＢ端子との間にスイッチ１２が設けられ、このスイッチ１２を左右側へ回動させることによって通電状態が解除される機構とするものであり、Ａ端子およびＢ端子に接続されるそれぞれの電気コード２の手前をスイッチ１２の先端側へ引き寄せて接続金具１３によってスイッチ１２先端に連結枢支する構成とするものである。
【００２４】
従って不審者がビニールシートを切り裂いてビニールハウス内へ侵入する際に電気コード２に生じる全方位方向への衝撃によってスイッチ１２が左右方向へ振れることにより瞬間的に通電は遮断される。
【００２５】
また、ドア検知遮断スイッチ６は図５に示すように、電気コード２はＡ端子およびＢ端子に接続されて通電状態とされ、このＡ端子とＢ端子との間にスイッチ１２が設けられている。そしてスイッチ１２が引き戸式の開閉扉５を開く際に、開閉扉５のコーナーによって振れるように設置され、これにより瞬間的に通電が遮断される構成とするものである。
【００２６】
次に、システム本体３はＡＣ１００Ｖ電源からバッテリーを介してＤＣ１２Ｖに変換され電気コード２端子に接続される。更には警報ベル７および警告スピーカー１４並びに警戒表示ランプ１５が接続される。
【００２７】
ここで、警告スピーカー１４は警報システムをセットする際に各開閉扉が閉まっていない場合には警告音を発すると共に、不審者の侵入の場合には警報ベル７と同時に警報音を発する構成とするものである。
【００２８】
また、警戒表示ランプ１５は警報システムをセットした場合に点灯し、セットが解除されると消灯することで警報システムが作動しているかの確認を行うものである。
【００２９】
いっぽう、ＡＣ１００Ｖ電源にはマグネットスイッチ１６を介してパトライト８および無線電話回線を利用した送信装置９が接続されている。
【００３０】
そこで不審者の侵入により外圧検知遮断スイッチ４およびドア検知遮断スイッチ６が作動し瞬間的に通電が遮断されと同時に警報ベル７および警告スピーカー１４が警報音を発生し、更にはパトライト８が点灯することになる。更に、それと同時に送信装置９から生産者の携帯電話やパーソナルコンピューターに侵入を知らせるメール等が送信される構成とするものである。
【００３１】
また、最終出口とした開閉扉に設置されるドア検知遮断スイッチ６には防犯スイッチ１０が接続され、この防犯スイッチ１０のＯＮ・ＯＦＦによってビニールハウス内での警報システムの設定・解除のための出入りが自在に行える構成とするものである。
なお、防犯スイッチのＯＮ・ＯＦＦは生産者のみが所有するキーによって行える構成とするものである。
【００３２】
以上の構成よりなる本発明では、警報システムの設定を行う場合に、まず防犯スイッチ１０によって最終開閉扉のドア検知遮断スイッチ６を解除した状態で、ビニールハウス内よりシステム本体３のメインスイッチ（図示せず。）を入れる。
【００３３】
ここで、各開閉扉（図示せず。）が閉まっていない場合には警告スピーカー１４から警告音が発せられ、開閉扉のチェックが行われる。そして生産者は正常に警報システムが設定されているのを確認した上で、最終開閉扉からビニールハウス外へ出た後に防犯スイッチ１０によってドア検知遮断スイッチ６をＯＮの状態に設定する。
【００３４】
従って生産者が帰宅した後に不審者が開閉扉、あるいはビニールハウス側面のビニールシートを切り裂いて侵入する際に、外圧検知遮断スイッチ４又はドア検知遮断スイッチ６によって通電が遮断され、警報ベル７および警告スピーカー１４が警報音を発生し、更にはパトライト８が点灯することになる。
【００３５】
また、電気コードが侵入の際にナイフなどで切断された場合にあっても、通電が遮断されることで警報ベル７および警告スピーカー１４が警報音を発生し、更にはパトライト８が点灯することになる。
【００３６】
なお、不審者によってシステム本体に接続されるＡＣ１００Ｖケーブルが切断された場合であっても、システム本体に内蔵されるバッテリーによって警報ベルおよび警告スピーカーから警報音が発せられることとなり、かつ送信装置より生産者の携帯電話やパーソナルコンピューターに侵入を知らせるメール等が送信される。
【００３７】
ここで、外圧検知遮断スイッチあるいはドア検知遮断スイッチは必ずしも本発明の実施例で詳述する機構である必要性は無く、ビニールシートを切り裂いて侵入する際に電気コードに触れることで通電を一時的の遮断する、あるいは開閉扉を開く際に通電を一時的に遮断する機構のものであればどのような機構のものであっても構わない。
【００３８】
また、電気コード、システム本体、外圧検知遮断スイッチ、ドア検知遮断スイッチ、警報ベル、パトライトおよび送信装置は必ずしもビニールハウス内に設置される必要性は無く、例えば警報ベル、パトライトおよび送信装置はビニールハウス外へ設置する場合もあり、状況に応じて最も適した場所に設置することが望ましい。
【図面の簡単な説明】
【００３９】
【図１】本発明を適用したビニールハウスにおける不審者の侵入警報システムの一例を説明するための概要説明図である。
【図２】本発明を適用したビニールハウスにおける不審者の侵入警報システムの電気コードの取り付け状態を示す説明図である。
【図３】図１における侵入警報システムの一例を説明するための電気回路ブロック図である。
【図４】本発明を適用したビニールハウスにおける不審者の侵入警報システムにおける外圧検知遮断スイッチの一例を説明するための機構説明図である。
【図５】本発明を適用したビニールハウスにおける不審者の侵入警報システムにおけるドア検知遮断スイッチの一例を説明するための機構説明図である。
【図６】従来の不審者の侵入監視システムの一例を示す説明図である。
【符号の説明】
【００４０】
１      ビニールハウス
２      電気コード
３      システム本体
４      外圧検知遮断スイッチ
５      開閉扉
６      ドア検知遮断スイッチ
７      警報ベル
８      パトライト
９      送信装置
１０    防犯スイッチ
１１    枠体
１２    スイッチ
１３    接続金具
１４    警告スピーカー
１５    警戒表示ランプ
１６    マグネットスイッチ
１７    ビニールシート
【図１】
2005202808.tif 000003
【図２】
2005202808.tif 000004
【図３】
2005202808.tif 000005
【図４】
2005202808.tif 000006
【図５】
2005202808.tif 000007
【図６】
2005202808.tif 000008